(57)【要約】【課題】本来公表すべきではないデータを不用意に出力せず、且つその種のデータの存在自体を確実に秘匿する。【解決手段】複数の画像データ、代替画像データを記憶するＨＤＤ22と、画像データを外部に出力する無線ＬＡＮＩ／Ｆ20及び無線ＬＡＮアンテナ23と、ＨＤＤ22に記憶する画像データを選択するキーボード／マウス18と、選択した画像データが外部出力の禁止を設定したものであるか否かを判断し、外部出力の禁止を設定した画像データが選択されたと判断した場合に、当該画像データに代えて代替画像データを出力させるＣＰＵ11とを備える。【選択図】      図２
2010079007.tif 000002
【特許請求の範囲】
【請求項１】
複数のデータを記憶するデータ記憶手段と、
代替データを記憶する代替記憶手段と、
データを装置外部に出力する出力手段と、
上記データ記憶手段で記憶する任意のデータの外部出力を禁止する禁止設定手段と、
上記データ記憶手段に記憶するデータを選択する選択手段と、
上記選択手段で選択したデータが上記禁止設定手段で外部出力の禁止を設定したものであるか否かを判断する判断手段と、
上記判断手段で外部出力の禁止を設定したデータが上記選択手段で選択されたと判断した場合、当該データに代えて上記代替記憶手段で記憶する代替データを上記出力手段により装置外部へ出力させる出力制御手段と
を具備したことを特徴とするデータ出力装置。
【請求項２】
上記判断手段で外部出力の禁止を設定したデータが上記選択手段で選択されたと判断した場合に、選択したデータに対して外部出力の禁止が設定されていることの確認を促す警告手段をさらに具備し、
上記出力制御手段は、上記警告手段で外部出力の禁止が設定されていることの確認が得られた場合に上記出力手段による代替データの装置外部への出力を停止する
ことを特徴とする請求項１記載のデータ出力装置。
【請求項３】
上記禁止設定手段は、上記データ記憶手段により記憶された複数のデータのうち、所定のフォルダに格納される全てのデータに対して外部出力を禁止することを特徴とする請求項１または２記載のデータ出力装置。
【請求項４】
上記禁止設定手段は、上記フォルダに格納されたファイルのファイル情報の外部への出力を禁止することを特徴とする請求項３記載のデータ出力装置。
【請求項５】
データを出力するデータ出力装置と、上記データ出力装置が出力したデータを表示するデータ表示装置とを有するデータ表示システムであって、
上記データ出力装置は、
複数のデータを記憶するデータ記憶手段と、
データを上記データ表示装置に出力する出力手段と、
上記データ記憶手段で記憶する任意のデータの出力を禁止する禁止設定手段と、
上記データ記憶手段に記憶するデータを選択する選択手段と、
上記選択手段で選択したデータが上記禁止設定手段で出力の禁止を設定したものであるか否かを判断する判断手段と、
上記判断手段で出力の禁止を設定したデータが上記選択手段で選択されたと判断した場合、当該データに代えて代替画像の表示を指示する指示情報を上記出力手段により上記画像表示装置に出力させる出力制御手段とを備え、
上記データ表示装置は、
上記出力手段が出力したデータを入力する入力手段と、
上記入力手段で入力したデータを表示する表示手段と、
代替データを記憶する代替記憶手段と、
上記入力手段でデータに代えて上記指示情報を入力したか否かを判定する判定手段と、
上記判定手段で上記指示情報を入力したと判定した場合、上記代替記憶手段で記憶する代替データを上記表示手段により表示させる表示制御手段とを備える
ことを特徴とするデータ表示システム。
【請求項６】
上記画像出力装置は、
上記判断手段で外部出力の禁止を設定したデータが上記選択手段で選択されたと判断した場合に、選択したデータに対して外部出力の禁止が設定されていることの確認を促す警告手段をさらに具備し、
上記出力制御手段は、上記警告手段で外部出力の禁止が設定されていることの確認が得られた場合に上記出力手段による代替データの装置外部への出力を停止する
ことを特徴とする請求項５記載のデータ表示システム。
【請求項７】
複数のデータを記憶するデータ記憶部、データを装置外部に出力する出力部、及び代替データを記憶する代替記憶部を備えた装置でのデータ出力方法であって、
上記データ記憶部で記憶する任意のデータの外部出力の禁止を設定する禁止設定工程と、
上記データ記憶部で記憶するデータを選択する選択工程と、
上記選択工程で選択したデータが上記禁止設定工程で外部出力の禁止を設定したものであるか否かを判断する判断工程と、
上記判断工程で外部出力の禁止を設定したデータが上記選択工程で選択されたと判断した場合、当該データに代えて上記代替記憶部で記憶する代替データを上記出力部により装置外部へ出力させる出力制御工程と
を有したことを特徴とするデータ出力方法。
【請求項８】
複数のデータを記憶するデータ記憶部、及びデータを出力する出力部を備えたデータ出力装置と、データを入力する入力部、代替データを記憶する代替記憶部、及び上記入力部で入力したデータを表示する表示部を備えたデータ表示装置と有するシステムでのデータ表示方法であって、
上記データ記憶部で記憶する任意のデータの出力を禁止する禁止設定工程と、
上記データ記憶部に記憶するデータを選択する選択工程と、
上記選択工程で選択したデータが上記禁止設定工程で出力の禁止を設定したものであるか否かを判断する判断工程と、
上記判断工程で出力の禁止を設定したデータが上記選択工程で選択されたと判断した場合、当該データに代えて代替データの表示を指示する指示情報を上記出力部により出力させる出力制御工程と、
上記入力部でデータに代えて上記指示情報を入力したか否かを判定する判定工程と、
上記判定工程で上記指示情報を入力したと判定した場合、上記代替記憶部で記憶する代替データを上記表示部により表示させる表示制御工程と
を有したことを特徴とするデータ表示方法。
【請求項９】
複数のデータを記憶するデータ記憶部、データを装置外部に出力する出力部、及び代替データを記憶する代替記憶部を備えた装置が内蔵するコンピュータが実行するプログラムであって、
上記データ記憶部で記憶する任意のデータの外部出力の禁止を設定する禁止設定ステップと、
上記データ記憶部で記憶するデータを選択する選択ステップと、
上記選択ステップで選択したデータが上記禁止設定ステップで外部出力の禁止を設定したものであるか否かを判断する判断ステップと、
上記判断ステップで外部出力の禁止を設定したデータが上記選択ステップで選択されたと判断した場合、当該データに代えて上記代替記憶部で記憶する代替データを上記出力部により装置外部へ出力させる出力制御ステップと
をコンピュータに実行させることを特徴とするプログラム。
【請求項１０】
複数のデータを記憶するデータ記憶部、及びデータを出力する出力部を備えたデータ出力装置と、データを入力する入力部、代替データを記憶する代替記憶部、及び上記入力部で入力したデータを表示する表示部を備えた画像表示装置と有するシステムで両装置に内蔵されたコンピュータが実行するプログラムであって、
上記データ記憶部で記憶する任意のデータの出力を禁止する禁止設定ステップと、
上記データ記憶部に記憶するデータを選択する選択ステップと、
上記選択ステップで選択したデータが上記禁止設定ステップで出力の禁止を設定したものであるか否かを判断する判断ステップと、
上記判断ステップで出力の禁止を設定したデータが上記選択ステップで選択されたと判断した場合、当該データに代えて代替データの表示を指示する指示情報を上記出力部により出力させる出力制御ステップと、
上記入力部でデータに代えて上記指示情報を入力したか否かを判定する判定ステップと、
上記判定ステップで上記指示情報を入力したと判定した場合、上記代替記憶部で記憶する代替データを上記表示部により表示させる表示制御ステップと
をコンピュータに実行させることを特徴とするプログラム。
【発明の詳細な説明】
【技術分野】
【０００１】
本発明は、例えばパーソナルコンピュータをデータプロジェクタ装置と接続して画像の投影を行なうのに好適なデータ出力装置、データ表示システム、データ表示方法及びプログラムに関する。
【背景技術】
【０００２】
従来、プロジェクタ装置で、情報の内容によって、表示情報の表示装置（プロジェクタ装置）への伝達をせた選択することにより、会議参加者に対して必要な情報は緊急かつ充分に伝え、不要な情報は最小限に抑えることを目的として、パソコンからの情報を選択、優先順位、割り込み等の表示選択手段を有するようにした技術が考えられていた。（例えば、特許文献１）
【特許文献１】特開２００４−０１２６９５号公報
【発明の開示】
【発明が解決しようとする課題】
【０００３】
上記した特許文献の技術を含め、画像を入力して表示あるいは投影する表示装置側で画像の取扱いを制御する場合、画像データの送信側で誤って本来は出力すべきではない画像データを選択して送信すると、そのまま表示装置で表示されることになる。
【０００４】
例えば、プロジェクタ装置にパーソナルコンピュータを接続し、パーソナルコンピュータでプレゼンテーション用のドキュメント画像やその他の資料画像等を順次展開して画像データを送信するケースが多々あると思われるが、そのようなケースで、パーソナルコンピュータ内に保存しておいた機密性を有する画像データ、あるいはプライベートな画像データを誤って展開する指示操作をした場合、当然ながらその機密性を有する画像データ、あるいはプライベートな画像データがそのままプロジェクタ装置側で表示（投影）されることとなる。
【０００５】
本発明は上記のような実情に鑑みてなされたもので、その目的とするところは、本来公表すべきではないデータを不用意に出力することなく、且つその種のデータの存在自体を確実に秘匿することが可能なデータ出力装置、データ表示システム、データ表示方法及びプログラムを提供することにある。
【課題を解決するための手段】
【０００６】
請求項１記載の発明は、複数のデータを記憶するデータ記憶手段と、代替データを記憶する代替記憶手段と、データを装置外部に出力する出力手段と、上記データ記憶手段で記憶する任意のデータの外部出力を禁止する禁止設定手段と、上記データ記憶手段に記憶するデータを選択する選択手段と、上記選択手段で選択したデータが上記禁止設定手段で外部出力の禁止を設定したものであるか否かを判断する判断手段と、上記判断手段で外部出力の禁止を設定したデータが上記選択手段で選択されたと判断した場合、当該データに代えて上記代替記憶手段で記憶する代替データを上記出力手段により装置外部へ出力させる出力制御手段とを具備したことを特徴とする。
【０００７】
請求項２記載の発明は、上記請求項１記載の発明において、上記判断手段で外部出力の禁止を設定したデータが上記選択手段で選択されたと判断した場合に、選択したデータに対して外部出力の禁止が設定されていることの確認を促す警告手段をさらに具備し、上記出力制御手段は、上記警告手段で外部出力の禁止が設定されていることの確認が得られた場合に上記出力手段による代替データの装置外部への出力を停止することを特徴とする。
【０００８】
請求項３記載の発明は、上記請求項１または２記載の発明において、上記禁止設定手段は、上記データ記憶手段により記憶された複数のデータのうち、所定のフォルダに格納される全てのデータに対して外部出力を禁止することを特徴とする。
【０００９】
請求項４記載の発明は、上記請求項３記載の発明において、上記禁止設定手段は、上記フォルダに格納されたファイルのファイル情報の外部への出力を禁止することを特徴とする。
【００１０】
請求項５記載の発明は、データを出力するデータ出力装置と、上記データ出力装置が出力したデータを表示するデータ表示装置とを有するデータ表示システムであって、上記データ出力装置は、複数のデータを記憶するデータ記憶手段と、データを上記データ表示装置に出力する出力手段と、上記データ記憶手段で記憶する任意のデータの出力を禁止する禁止設定手段と、上記データ記憶手段に記憶するデータを選択する選択手段と、上記選択手段で選択したデータが上記禁止設定手段で出力の禁止を設定したものであるか否かを判断する判断手段と、上記判断手段で出力の禁止を設定したデータが上記選択手段で選択されたと判断した場合、当該データに代えて代替画像の表示を指示する指示情報を上記出力手段により上記画像表示装置に出力させる出力制御手段とを備え、上記データ表示装置は、上記出力手段が出力したデータを入力する入力手段と、上記入力手段で入力したデータを表示する表示手段と、代替データを記憶する代替記憶手段と、上記入力手段でデータに代えて上記指示情報を入力したか否かを判定する判定手段と、上記判定手段で上記指示情報を入力したと判定した場合、上記代替記憶手段で記憶する代替データを上記表示手段により表示させる表示制御手段とを備えることを特徴とする。
【００１１】
請求項６記載の発明は、上記請求項５記載の発明において、上記画像出力装置は、上記判断手段で外部出力の禁止を設定したデータが上記選択手段で選択されたと判断した場合に、選択したデータに対して外部出力の禁止が設定されていることの確認を促す警告手段をさらに具備し、上記出力制御手段は、上記警告手段で外部出力の禁止が設定されていることの確認が得られた場合に上記出力手段による代替データの装置外部への出力を停止することを特徴とする。
【００１２】
請求項７記載の発明は、複数のデータを記憶するデータ記憶部、データを装置外部に出力する出力部、及び代替データを記憶する代替記憶部を備えた装置でのデータ出力方法であって、上記データ記憶部で記憶する任意のデータの外部出力の禁止を設定する禁止設定工程と、上記データ記憶部で記憶するデータを選択する選択工程と、上記選択工程で選択したデータが上記禁止設定工程で外部出力の禁止を設定したものであるか否かを判断する判断工程と、上記判断工程で外部出力の禁止を設定したデータが上記選択工程で選択されたと判断した場合、当該データに代えて上記代替記憶部で記憶する代替データを上記出力部により装置外部へ出力させる出力制御工程とを有したことを特徴とする。
【００１３】
請求項８記載の発明は、複数のデータを記憶するデータ記憶部、及びデータを出力する出力部を備えたデータ出力装置と、データを入力する入力部、代替データを記憶する代替記憶部、及び上記入力部で入力したデータを表示する表示部を備えたデータ表示装置と有するシステムでのデータ表示方法であって、上記データ記憶部で記憶する任意のデータの出力を禁止する禁止設定工程と、上記データ記憶部に記憶するデータを選択する選択工程と、上記選択工程で選択したデータが上記禁止設定工程で出力の禁止を設定したものであるか否かを判断する判断工程と、上記判断工程で出力の禁止を設定したデータが上記選択工程で選択されたと判断した場合、当該データに代えて代替データの表示を指示する指示情報を上記出力部により出力させる出力制御工程と、上記入力部でデータに代えて上記指示情報を入力したか否かを判定する判定工程と、上記判定工程で上記指示情報を入力したと判定した場合、上記代替記憶部で記憶する代替データを上記表示部により表示させる表示制御工程とを有したことを特徴とする。
【００１４】
請求項９記載の発明は、複数のデータを記憶するデータ記憶部、データを装置外部に出力する出力部、及び代替データを記憶する代替記憶部を備えた装置が内蔵するコンピュータが実行するプログラムであって、上記データ記憶部で記憶する任意のデータの外部出力の禁止を設定する禁止設定ステップと、上記データ記憶部で記憶するデータを選択する選択ステップと、上記選択ステップで選択したデータが上記禁止設定ステップで外部出力の禁止を設定したものであるか否かを判断する判断ステップと、上記判断ステップで外部出力の禁止を設定したデータが上記選択ステップで選択されたと判断した場合、当該データに代えて上記代替記憶部で記憶する代替データを上記出力部により装置外部へ出力させる出力制御ステップとをコンピュータに実行させることを特徴とする。
【００１５】
請求項１０記載の発明は、複数のデータを記憶するデータ記憶部、及びデータを出力する出力部を備えたデータ出力装置と、データを入力する入力部、代替データを記憶する代替記憶部、及び上記入力部で入力したデータを表示する表示部を備えた画像表示装置と有するシステムで両装置に内蔵されたコンピュータが実行するプログラムであって、上記データ記憶部で記憶する任意のデータの出力を禁止する禁止設定ステップと、上記データ記憶部に記憶するデータを選択する選択ステップと、上記選択ステップで選択したデータが上記禁止設定ステップで出力の禁止を設定したものであるか否かを判断する判断ステップと、上記判断ステップで出力の禁止を設定したデータが上記選択ステップで選択されたと判断した場合、当該データに代えて代替データの表示を指示する指示情報を上記出力部により出力させる出力制御ステップと、上記入力部でデータに代えて上記指示情報を入力したか否かを判定する判定ステップと、上記判定ステップで上記指示情報を入力したと判定した場合、上記代替記憶部で記憶する代替データを上記表示部により表示させる表示制御ステップとをコンピュータに実行させることを特徴とする。
【発明の効果】
【００１６】
本発明によれば、本来公表すべきではないデータを不用意に出力することなく、且つその種のデータの存在自体を確実に秘匿することが可能となる。
【発明を実施するための最良の形態】
【００１７】
（第１の実施形態）  
以下、本発明をパーソナルコンピュータとデータプロジェクタ装置を用いた画像投影システムに適用した場合の第１の実施形態について図面を参照して説明する。
【００１８】
図１は、システム全体の外観と接続構成を示すものである。パーソナルコンピュータ１とデータプロジェクタ装置２とが無線ＬＡＮ技術、例えばＩＥＥＥ８０２．１１ｇ規格に従って無線接続され、パーソナルコンピュータ１で再生される各種のアプリケーションプログラムに対応した画像データが適宜データプロジェクタ装置２へ送られて、データプロジェクタ装置２によりスクリーンＳＣに向けて投影される。
【００１９】
ここでは、パーソナルコンピュータ１及びデータプロジェクタ装置２が共に予め無線ＬＡＮ機能を有するものとし、プレゼンテーションプログラム等の各種アプリケーションプログラムをパーソナルコンピュータ１が実行する際、その画像データをパーソナルコンピュータ１がデータプロジェクタ装置２に対して直接送信することが可能であるものとする。
【００２０】
データプロジェクタ装置２は、パーソナルコンピュータ１から送られてきた画像データを基に、例えばマイクロミラー素子を用いて画像データに対応する光像を形成し、筐体前面に配置された投影レンズユニット２ａを介して、投影対象のスクリーンＳＣ上に投影する。
【００２１】
次に図２によりパーソナルコンピュータ１の構成について説明する。図２はこのパーソナルコンピュータ１のハードウェア構成を示すものであり、各種処理制御を司るＣＰＵ１１とフロントサイドバスＦＳＢを介してノースブリッジ１２が接続される。
【００２２】
このノースブリッジ１２は、さらにメモリバスＭＢを介してメインメモリ１３と、またグラフィクスインタフェースＡＧＰを介してグラフィックコントローラ１４及びグラフィックメモリ１５と接続される他、サウスブリッジ１６とも接続される。ノースブリッジ１２は、主としてこれらの間での入出力制御を実行する。
【００２３】
サウスブリッジ１６は、ＰＣＩバス１７、キーボード／マウス１８、ビデオエンコーダ１９、無線ＬＡＮインタフェース（Ｉ／Ｆ）２０、マルチディスクドライブ２１、ハードディスク装置（ＨＤＤ）２２と接続され、主としてこれら周辺回路とノースブリッジ１２との間の入出力制御を行なう。
【００２４】
なお、これらパーソナルコンピュータ１を構成する個々の要素自体は、きわめて一般的な周知の技術であるので、それら説明は省略するものとする。
【００２５】
また、ビデオエンコーダ１９は、与えられたデジタル値の画像信号からアナログ値の画像信号であるＶＧＡビデオ信号を生成して出力し、ここでは図示しないカラーＴＦＴ（薄膜トランジスタ）液晶表示パネルで構成されるディスプレイ部を表示駆動する一方で、同ＶＧＡビデオ信号を無線ＬＡＮインタフェース２０へ出力する。
【００２６】
無線ＬＡＮインタフェース２０は、無線ＬＡＮアンテナ２３を介し、例えばＩＥＥＥ８０２．１１ｇ規格に則って２．４［ＧＨｚ］帯の電波で上記データプロジェクタ装置２を含む外部の機器とデータの送受を行なう。例えばパーソナルコンピュータ１でプレゼンテーション用のアプリケーションプログラムを実行している間は、当該プレゼンテーション用のＶＧＡビデオ信号が上記ビデオエンコーダ１９から無線ＬＡＮインタフェース２０に送られてくるため、無線ＬＡＮインタフェース２０はそのビデオ信号を無線ＬＡＮアンテナ２３より外部の機器へ送信する。
【００２７】
次に図３により上記データプロジェクタ装置２の概略機能構成を示す。  
３１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００２８】
入出力コネクタ部３１より入力される各種規格の画像信号は、入出力インタフェース（Ｉ／Ｆ）３２、システムバスＳＢを介し、スケーラとも称される画像変換部３３で投影に適した所定のフォーマットの画像信号に統一され、適宜表示用のバッファメモリであるビデオＲＡＭ３４に記憶された後に、投影画像処理部３５へ送られる。
【００２９】
この際、ＯＳＤ（Ｏｎ  Ｓｃｒｅｅｎ  Ｄｉｓｐｌａｙ）用の各種動作状態を示すシンボル等のデータも必要に応じてビデオＲＡＭ３４で画像信号に重畳加工され、加工後の画像信号が投影画像処理部３５へ送られる。
【００３０】
投影画像処理部３５は、送られてきた画像信号に応じて、所定のフォーマットに従ったフレームレート、例えば３０［フレーム／秒］と色成分の分割数、及び表示階調数を乗算した、より高速な時分割駆動により、空間的光変調素子（ＳＯＭ）であるマイクロミラー素子３６を表示駆動する。
【００３１】
一方、リフレクタ３７内に配置された、例えば高圧水銀灯を用いた光源ランプ３８が高輝度の白色光を出射する。この光源ランプ３８は、バラスト回路３９からの電力により交流駆動される。光源ランプ３８の出射した白色光は、マイクロミラー素子３６での表示に同期して高速回転するカラーホイール４０を介して時分割で原色に着色され、インテグレータ４１で輝度分布が均一な光束とされた後にミラー４２で全反射して上記マイクロミラー素子３６に照射される。
【００３２】
そして、マイクロミラー素子３６での反射光で光像が形成され、形成された光像が上記投影レンズユニット２ａを介して、投影対象となるここでは図示しないスクリーンＳＣに投影される。
【００３３】
投影レンズユニット２ａは、マイクロミラー素子３６で形成された光像を拡大してスクリーン等の対象に投影するものであり、合焦位置及びズーム位置（投影画角）を任意に可変できるものとする。
【００３４】
すなわち、投影レンズユニット２ａ内の図示しないフォーカスレンズ及びズームレンズは共に光軸方向に沿って前後に移動することで制御されるもので、それらレンズはステッピングモータ（Ｍ）４３の回動駆動により移動する。
【００３５】
また、上記光源ランプ３８を点灯させるためのバラスト回路３９への電力供給、上記カラーホイール４０用のモータ（Ｍ）４４の回転駆動、カラーホイール４０の回転周端に設けられたマーカセンサ４５からのセグメント境界の検出、及び上記ステッピングモータ４３の回動駆動をいずれも投影光処理部４６が実行する。
【００３６】
なお、上記投影画像処理部３５は、マイクロミラー素子３６で表示する色成分毎の画像の切換タイミングに同期したランプ同期信号を上記バラスト回路３９及び投影光処理部４６へ出力する。
【００３７】
上記各回路の動作すべてをＣＰＵ４７が制御する。このＣＰＵ４７は、ＤＲＡＭで構成されたメインメモリ４８、動作プログラムや各種定型データ等を記憶した電気的書換可能な不揮発性メモリで構成されたプログラムメモリ４９を用いてこのデータプロジェクタ装置２内の制御動作を実行する。
【００３８】
上記ＣＰＵ４７は、操作部５０からの操作信号に応じて各種投影動作を実行する。この操作部５０は、データプロジェクタ装置２の筐体本体に設けられたキー操作部と、このデータプロジェクタ装置２専用の図示しないリモートコントローラからの赤外線変調信号を受信する赤外線受信部とを含み、ユーザがキー操作部またはリモートコントローラを介して操作したキーに基づくキーコード信号をＣＰＵ４７へ直接出力する。
【００３９】
上記ＣＰＵ４７はさらに、上記システムバスＳＢを介して音声処理部５１及び無線ＬＡＮインタフェース（Ｉ／Ｆ）５２と接続される。
【００４０】
音声処理部５１は、ＰＣＭ音源等の音源回路を備え、投影動作時に与えられる音声データをアナログ化し、スピーカ部５３を駆動して拡声放音させ、あるいは必要によりビープ音等を発生させる。
【００４１】
無線ＬＡＮインタフェース５２は、無線ＬＡＮアンテナ５４を介し、例えばＩＥＥＥ８０２．１１ｇ規格に則って２．４［ＧＨｚ］帯の電波でパーソナルコンピュータ１を含む機器とのデータの送受を行なう。パーソナルコンピュータ１がプレゼンテーション等の各種アプリケーションプログラムを実行している間は、パーソナルコンピュータ１から無線で送られてくるＶＧＡビデオ信号を受信し、上記画像変換部３３へ出力する。
【００４２】
次に上記実施形態の動作について説明する。  
図４は、パーソナルコンピュータ１をデータプロジェクタ装置２と無線ＬＡＮで接続した状態で、パーソナルコンピュータ１側のキーボード／マウス１８を操作することにより、ハードディスク装置２２に記憶している各種ドキュメントや資料等の画像データを展開して送信する際に、画像データの出力に対して実行する基本的な処理内容である。
【００４３】
この図４の動作は、ＣＰＵ１１がハードディスク装置２２に予め記憶されている基本的な設定情報に基づいてメインメモリ１３で動作プログラムを実行することで制御される。
【００４４】
なお、ハードディスク装置２２に記憶する各種画像データに対しては、このパーソナルコンピュータ１のユーザにより、公表に適しないと判断した個人的なもの、あるいは機密性が高いと判断したものについて、パーソナルコンピュータ１外部への出力を制限するべく予め識別情報が付加して設定されているものとする。以下、そのように予めパーソナルコンピュータ１外部への出力を制限するべく識別情報を設定した画像データを、プライベートファイルと称することとする。
【００４５】
また、上記ハードディスク装置２２には、上記プライベートファイルに代えて外部に出力するべく選定された画像データが予め記憶されているものとする。この画像データを以下ではダミーファイルと称する。
【００４６】
図４の処理当初には、例えば無線ＬＡＮ接続により装置外部のデータプロジェクタ装置２側へ画像データを出力するための設定がなされるのを待機する（ステップＳ１０１）。
【００４７】
ここで、外部出力を行なうための設定がなされたと判断すると、無線ＬＡＮインタフェース２０、無線ＬＡＮアンテナ２３を介してデータプロジェクタ装置２側との同期を確立するなどの各種設定処理を実行し、実際の画像データの出力に備える（ステップＳ１０２）。
【００４８】
しかして、キーボード／マウス１８によりこのパーソナルコンピュータ１のユーザが出力するべき画像データを選択して展開するのを待機する（ステップＳ１０３）。
【００４９】
画像データが選択された場合、上記ステップＳ１０３でそれを判断し、次いでその選択された画像データに対して上記外部への出力を制限する識別情報が付加設定されているか否かにより、当該画像データがプライベートファイルであるか否かを判断する（ステップＳ１０４）。
【００５０】
ここで当該画像データがプライベートファイルではないと判断した場合には、そのまま当該画像データをグラフィックメモリ１５上で展開した後に、その展開した画像データを無線ＬＡＮインタフェース２０、無線ＬＡＮアンテナ２３を介して外部のデータプロジェクタ装置２側へ出力させる（ステップＳ１０５）。
【００５１】
その後、あらたな画像データが選択されるのに備えるべく上記ステップＳ１０３からの処理に戻る。
【００５２】
一方、上記ステップＳ１０４で当該画像データに外部への出力を制限する識別情報が付加設定されており、プライベートファイルであると判断した場合には、データプロジェクタ装置２に記憶されているダミーファイルを上記プライベートファイルに代えて読出し、グラフィックメモリ１５上で展開した後に、その展開した画像データを無線ＬＡＮインタフェース２０、無線ＬＡＮアンテナ２３を介して外部のデータプロジェクタ装置２側へ出力させる（ステップＳ１０６）。
【００５３】
このとき合わせて、このパーソナルコンピュータ１内のみでの表示としてプライベートファイルが選択されたことに対して、例えば  
「外部に出力できない画像が選択されました  
正しい画像を選択し直して下さい」  
のような文字列による警告メッセージのウィンドウを表示させると共に、そのウィンドウ内に確認のためのボタンを表示させる（ステップＳ１０７）。
【００５４】
こうした警告の表示を行なった上で、上記ボタンに対するクリック操作等がなされたか否かにより、警告に対するユーザの確認がなされたか否かを判断する（ステップＳ１０８）。
【００５５】
ユーザによる確認の操作がなされると、ステップＳ１０８でそれを判断し、その時点で上記ダミーファイルの画像データの出力を停止して（ステップＳ１０９）、あらたに正しい画像データが選択されるのに備えるべく上記ステップＳ１０３からの処理に戻る。
【００５６】
以上詳記した如く本実施形態によれば、画像データを出力する出力装置であるパーソナルコンピュータ１側単独で、本来公表すべきではないものとして設定した画像データを不用意に出力することなく、且つ誤った選択操作に対して予め用意しておいたダミーファイルの画像データを自動的に選択して出力させるために、公表すべきではない画像データがパーソナルコンピュータ１内に存在していること自体を確実に秘匿することが可能となる。
【００５７】
加えて上記実施形態では、プライベートファイルの画像データを誤って出力するべく選択した場合に、パーソナルコンピュータ１内のみでの表示として誤操作がなされたことをユーザに警告して確認し、確認がとれた時点でダミーファイルの画像データを停止するものとしたので、すみやかにユーザに正しい画像データの選択と出力を促し、誤った画像の選択後にも円滑な投影動作を自然に継続できる。
【００５８】
（第２の実施形態）  
以下、本発明をパーソナルコンピュータとデータプロジェクタ装置を用いた画像投影システムに適用した場合の第２の実施形態について図面を参照して説明する。
【００５９】
なお、システム全体の外観と接続構成に関しては上記図１と、パーソナルコンピュータのハードウェア構成に関しては上記図２と、そしてデータプロジェクタ装置の概略機能構成に関しては上記図３と、それぞれ基本的に同様であるため、同一部分には同一符号を用いることとして、それらの図示と説明とを省略するものとする。
【００６０】
次に上記実施形態の動作について説明する。  
図５は、パーソナルコンピュータ１をデータプロジェクタ装置２と無線ＬＡＮで接続した状態で、パーソナルコンピュータ１側のキーボード／マウス１８を操作することにより、ハードディスク装置２２に記憶している各種ドキュメントや資料等の画像データを展開して送信し、これを受けたデータプロジェクタ装置２側がその画像データを投影する際の画像データの送受に対して双方が実行する基本的な処理内容である。
【００６１】
この図５の動作は、パーソナルコンピュータ１側では、ＣＰＵ１１がハードディスク装置２２に予め記憶されている基本的な設定情報に基づいてメインメモリ１３で動作プログラムを実行することで制御される。
【００６２】
なお、ハードディスク装置２２に記憶する各種画像データに対しては、このパーソナルコンピュータ１のユーザにより、公表に適しないと判断した個人的なもの、あるいは機密性が高いと判断したものについて、パーソナルコンピュータ１外部への出力を制限するべく予め識別情報が付加して設定されているものとする。以下、そのように予めパーソナルコンピュータ１外部への出力を制限するべく識別情報を設定した画像データを、プライベートファイルと称することとする。
【００６３】
また、上記ハードディスク装置２２には、上記プライベートファイルに代えて外部に出力する命令コードが予め記憶されているものとする。この命令コードを以下ではロック信号と称する。
【００６４】
さらに、データプロジェクタ装置２では、パーソナルコンピュータ１側で投影に適さない画像データが選択された場合に備えた画像データが予めプログラムメモリ４９に記憶されているものとする。この画像データを以下ではダミーファイルと称する。
【００６５】
図５の処理当初にパーソナルコンピュータ（ＰＣ）１側では、例えば無線ＬＡＮ接続により装置外部のデータプロジェクタ装置２側へ画像データを出力するための設定がなされるのを待機する（ステップＳ３０１）。
【００６６】
ここで、外部出力を行なうための設定がなされたと判断すると、無線ＬＡＮインタフェース２０、無線ＬＡＮアンテナ２３を介してデータプロジェクタ装置２側との同期を確立するなどの各種設定処理を実行し、実際の画像データの出力に備える（ステップＳ３０２）。
【００６７】
しかして、キーボード／マウス１８によりこのパーソナルコンピュータ１のユーザが出力するべき画像データを選択して展開するのを待機する（ステップＳ３０３）。
【００６８】
画像データが選択された場合、上記ステップＳ３０３でそれを判断し、次いでその選択された画像データに対して上記外部への出力を制限する識別情報が付加設定されているか否かにより、当該画像データがプライベートファイルであるか否かを判断する（ステップＳ３０４）。
【００６９】
ここで当該画像データがプライベートファイルではないと判断した場合には、そのまま当該画像データをグラフィックメモリ１５上で展開した後に、その展開した画像データを無線ＬＡＮインタフェース２０、無線ＬＡＮアンテナ２３を介して外部のデータプロジェクタ装置２側へ出力させ（ステップＳ３０５）、その後、あらたな画像データが選択されるのに備えるべく上記ステップＳ１０３からの処理に戻る。
【００７０】
データプロジェクタ装置（ＰＪ）２側では、パーソナルコンピュータ１から画像データが送られてくるのを待機しており（ステップＳ４０１）、送られてきたと判断した時点で、その受信した画像データが本来の投影に適した画像データではなく、上記ロック信号であるか否かを判断する（ステップＳ４０２）。
【００７１】
ここで受信した画像データがロック信号ではないと判断すると、あらためて受信した画像データによりマイクロミラー素子３６で対応する光像を形成し、投影レンズユニット２ａによりスクリーンＳＣに向けた投影を実行した上で（ステップＳ４０３）、次の画像データを投影するのに備えるべく上記ステップＳ４０１からの処理に戻る。
【００７２】
また、パーソナルコンピュータ１側において、上記ステップＳ３０４で当該画像データに外部への出力を制限する識別情報が付加設定されており、プライベートファイルであると判断した場合には、データプロジェクタ装置２に記憶されているロック信号を上記プライベートファイルに代えて読出し、上記無線ＬＡＮインタフェース２０、無線ＬＡＮアンテナ２３を介して外部のデータプロジェクタ装置２側へ出力させる（ステップＳ３０６）。
【００７３】
このとき合わせて、パーソナルコンピュータ１では、このパーソナルコンピュータ１内のみでの表示としてプライベートファイルが選択されたことに対して、例えば  
「外部に出力できない画像が選択されました  
正しい画像を選択し直して下さい」  
のような文字列による警告メッセージのウィンドウを表示させると共に、そのウィンドウ内に確認のためのボタンを表示させる（ステップＳ３０７）。
【００７４】
こうした警告の表示を行なった上で、上記ボタンに対するクリック操作等がなされたか否かにより、警告に対するユーザの確認がなされたか否かを判断する（ステップＳ３０８）。
【００７５】
ユーザによる確認の操作がなされると、ステップＳ３０８でそれを判断し、その時点で上記ロック信号を破棄する解除信号をデータプロジェクタ装置２に向けて出力した後（ステップＳ３０９）、あらたに正しい画像データが選択されるのに備えるべく上記ステップＳ３０３からの処理に戻る。
【００７６】
一方、上記ステップＳ３０６での処理により出力されたロック信号を受信するデータプロジェクタ装置２側では、上記ステップＳ４０１でそれを受信し、続くステップＳ４０２で受信した画像データが本来の投影に適したものではなく、ロック信号であることを判断すると、プログラムメモリ４９からダミーファイルを読出し、ビデオＲＡＭ３４上で展開した後に、その展開した画像データでマイクロミラー素子３６にて光像を形成し、投影レンズユニット２ａよりスクリーンＳＣに向けて投影させる（ステップＳ４０５）。
【００７７】
その後、パーソナルコンピュータ１側からさらに画像データが受信されるのを待機する（ステップＳ４０６）。そして、画像信号が受信されたと判断すると、その画像データが上記ロック信号を破棄する解除信号であるか否かを判断する（ステップＳ４０７）。
【００７８】
ここで上記ロック信号を破棄する解除信号ではないと判断した場合には、引き続き同信号を受信するべく上記ステップＳ４０６からの処理に戻る。
【００７９】
しかして、上記ロック信号を破棄する解除信号を受信すると、上記ステップＳ４０７でそれを判断し、上記ダミーファイルの画像データの投影を停止した上で（ステップＳ４０８）、さらにパーソナルコンピュータ１側からあらたな画像データが送られてくるのを待機するべく、上記ステップＳ４０１からの処理に戻る。
【００８０】
以上詳記した如く本実施形態によれば、画像を出力する側のパーソナルコンピュータ１と、画像データを入力して表示するデータプロジェクタ装置２側の双方の制御により、本来公表すべきではないものとして設定した画像データを不用意に出力することなく、且つ誤った選択操作に対して予め用意しておいたダミーファイルの画像データを自動的に選択して出力させるために、公表すべきではない画像データがパーソナルコンピュータ１内に存在していること自体を確実に秘匿することが可能となる。
【００８１】
加えて上記実施形態では、プライベートファイルの画像データを誤って出力するべく選択した場合に、パーソナルコンピュータ１内のみでの表示として誤操作がなされたことをユーザに警告して確認し、確認がとれた時点でダミーファイルの画像データを停止するものとしたので、すみやかにユーザに正しい画像データの選択と出力を促し、誤った画像の選択後にも円滑な投影動作を自然に継続できる。
【００８２】
なお、上記第１及び第２の実施の形態はいずれも、パーソナルコンピュータとデータプロジェクタ装置を用いた画像投影システムに適用した場合について説明したものであるが、本発明はこれに限らず、画像データを出力する装置と、その装置が出力した画像データを受けて表示するような画像表示装置のシステム、あるいは画像出力装置単独でも同様に実現することができる。
【００８３】
あるいは、上記第１及び第２の実施形態にあっても、例えばデータプロジェクタ装置２の製品に付属する記録媒体に格納されている動作プログラムをパーソナルコンピュータ１側にインストールして実行することで、上記実施形態のような動作が実現されるものとしてもよい。
【００８４】
また、上記第１及び第２の実施形態にあっては、表示に適さないファイルをプライベートファイルとして予め指定しておく構成としたが、例えばプライベートファイルが多数存在する場合は１つのフォルダにまとめて格納し、このフォルダに格納される全てのファイルデータに対して自動的にプライベートファイルの指定を行うこととしても良い。このようにすることで、容易に複数のファイルをプライベートファイルに指定することができる。
【００８５】
さらに、画像表示中に上述のフォルダが選択操作された場合に、このフォルダに格納されるファイルのアプリケーションの種類を示すアイコンやファイル名などの情報を示すファイル情報を表示せず、代わりにダミーのファイル情報画像を表示する構成としても良い。このようにすることで、当該フォルダが選択操作された場合であっても、中に格納されたファイルはその情報を一切漏らすことなくその存在を完全に秘匿することができる。
【００８６】
また、上記第２の実施形態における画像出力装置としてのパーソナルコンピュータ１は、例えばＵＳＢメモリで代換可能である。具体的には、ＵＳＢメモリから出力されたファイルに対してデータプロジェクタ装置２においてプライベートファイルを指定し、ファイル画像を投影する際にこのプライベートファイルが選択された場合には、上述のようにダミーの画像データを表示する処理が実行される。すなわち、この場合、上述における外部への出力動作は、当該プライベートファイルの投影動作に価することとなる。
【００８７】
さらに、上記第１及び第２の実施形態においては、表示に適さないものをプライベートファイルとして指定する構成としたが、これに限らず、例えばアプリケーションの種類ごとに指定する構成としてもよい。
【００８８】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００８９】
【図１】本発明の第１の実施形態に係る画像投影システム全体の外観と接続構成を示す図。
【図２】同実施形態に係るパーソナルコンピュータのハードウェア回路構成を示すブロック図。
【図３】同実施形態に係るデータプロジェクタ装置の概略機能構成を示すブロック図。
【図４】同実施形態に係るパーソナルコンピュータでの基本的な外部機器への画像データ出力に対する処理内容を示すフローチャート。
【図５】本発明の第２の実施の形態に係るパーソナルコンピュータとデータプロジェクタ装置双方での基本的な画像データ転送に対する処理内容を示すフローチャート。
【符号の説明】
【００９０】
１…パーソナルコンピュータ、２…データプロジェクタ装置、２ａ…投影レンズユニット、１１…ＣＰＵ、１２…ノースブリッジ、１３…メインメモリ、１４…グラフィックコントローラ、１５…グラフィックメモリ、１６…サウスブリッジ、１７…ＰＣＩバス、１８…キーボード／マウス、１９…ビデオエンコーダ、２０…無線ＬＡＮインタフェース（Ｉ／Ｆ）、２１…マルチディスクドライブ、２２…ハードディスク装置（ＨＤＤ）、２３…無線ＬＡＮアンテナ、３１…入出力コネクタ部、３２…入出力インタフェース（Ｉ／Ｆ）、３３…画像変換部、３４…ビデオＲＡＭ、３５…投影画像処理部、３６…マイクロミラー素子（ＳＯＭ）、３７…リフレクタ、３８…光源ランプ、３９…バラスト回路、４０…カラーホイール、４１…インテグレータ、４２…ミラー、４３…ステッピングモータ（Ｍ）、４４…モータ（Ｍ）、４５…マーカセンサ、４６…投影光処理部、４７…ＣＰＵ、４８…メインメモリ、４９…プログラムメモリ、５０…操作部、５１…音声処理部、５２…無線ＬＡＮインタフェース（Ｉ／Ｆ）、５３…スピーカ部、５４…無線ＬＡＮアンテナ、ＡＧＰ…グラフィクスインタフェース、ＦＳＢ…フロントサイドバス、ＭＢ…メモリバス、ＳＢ…システムバス、ＳＣ…スクリーン。
【図１】
2010079007.tif 000003
【図２】
2010079007.tif 000004
【図３】
2010079007.tif 000005
【図４】
2010079007.tif 000006
【図５】
2010079007.tif 000007